(57)【特許請求の範囲】
【請求項１】
デジタル放送信号を受信可能なデジタル放送網を介して第１の暗号化鍵により暗号化されたコンテンツと第２の暗号化鍵により暗号化された上記第１の暗号化鍵とを受信する受信部と、
上記第１の暗号化鍵により暗号化されたコンテンツを復号する復号化部と、
通信網を介して電子商取引の決済情報を伝送する通信部と、
電子バリューの残額が記録され、外部から情報の読み出しが不可能な半導体集積回路からなり、上記通信部を介して受信した決済情報に基づき電子商取引の決済を行う決済処理部と
を備え、
上記決済処理部は、上記第１の暗号化鍵を復号するための復号計算式を保有し、上記デジタル放送信号のコンテンツの購入要求がなされた場合に上記通信部を介して受信した決済情報に基づき上記半導体集積回路に記録された電子バリューが減算されるとともに、上記通信部を介して電子商取引処理用のプロトコルに従って取得した第２の暗号化鍵を用いて、上記受信部を介して受信した第１の暗号化鍵を上記復号計算式により復号し、
上記復号化部は、上記決済処理部が復号した第１の暗号化鍵を用いて、上記受信部を介して受信したコンテンツを復号する電子機器。
【請求項２】
上記決済処理部は、電子商取引専用の独立した半導体集積回路である請求項１記載の電子機器。
【請求項３】
上記受信部は不特定多数のユーザに送信される放送信号を受信し、上記通信部は電子商取引に利用される秘匿性の高い通信路を利用する請求項１記載の電子機器。
【請求項４】
第１の暗号化鍵を用いてコンテンツを暗号化するコンテンツ暗号化部と、
第２の暗号化鍵を用いて第１の暗号化鍵を暗号化する鍵暗号化部と、
上記暗号化されたコンテンツと、上記暗号化された第１の暗号化鍵を多重化して不特定多数のユーザに送信する送信部と
を備えたコンテンツ送信装置と、
デジタル放送信号を受信可能なデジタル放送網を介して上記第１の暗号化鍵により暗号化されたコンテンツと上記第２の暗号化鍵により暗号化された第１の暗号化鍵とを受信する受信部と、
上記第１の暗号化鍵を用いて上記暗号化されたコンテンツを復号する復号化部と、
通信網を介して電子商取引の決済情報を伝送する通信部と、
電子バリューの残額が記録され、外部から情報の読み出しが不可能な半導体集積回路からなり、上記通信部を介して受信した決済情報に基づき電子商取引の決済を行う決済処理部と、
を備えた携帯端末と、
上記コンテンツの決済処理が成功すると、上記携帯端末の上記通信部に第２の暗号化鍵を送信する決済処理装置と
を有し、
上記決済処理部は、上記第１の暗号化鍵を復号するための復号計算式を保有し、上記デジタル放送信号のコンテンツの購入要求がなされた場合に上記通信部を介して受信した決済情報に基づき上記半導体集積回路に記録された電子バリューが減算されるとともに、上記通信部を介して電子商取引処理用のプロトコルに従って取得した第２の暗号化鍵を用いて、上記受信部を介して受信した第１の暗号化鍵を上記復号計算式により復号し、
上記復号化部は、上記決済処理部が復号した第１の暗号化鍵を用いて、上記受信部を介して受信したコンテンツを復号するコンテンツ配信システム。
【発明の詳細な説明】
【技術分野】
【０００１】
本発明は、暗号化されたコンテンツを受信して復号する電子機器、及び、暗号化されたコンテンツを配信するコンテンツ配信システムに関する。
【背景技術】
【０００２】
多チャンネルの有料放送を行うシステムとしては、わが国においてはＢＳ（Broadcasting Satellite），ＣＳ（communication Satellite）を用いたデジタル放送が既に実用化されている。他の諸外国にあってもほぼ同様の規模の衛星放送システムが開発、実用化されている（例えば、特許文献１）。
【０００３】
特許文献１記載の発明では、受信アンテナとして径４０〜５０ｃｍ程度のパラボラアンテナ又はそれに相当する大きさの平面アレイアンテナを使用する必要がある。また、アンテナの指向方向を極めて精度よく衛星に向けなければ十分な利得が得られず、受信不能となる問題がある。
【０００４】
そのため、特許文献１では、特定地域内ではロッドアンテナ程度の空中線で受信可能な電力強度が得られるような径を有する一次放射器及び送信アンテナを具備する静止衛星が開示されている。
【０００５】
また、従来、衛星放送で使用している十数ＧＨｚのＫｕ波を用いず、衛星において例えばＳバンド（２．６ＧＨｚ等）にリアルタイムに変換し放射することで、鉄道車両等の高速移動体への放送及び通信を容易且つ低コストで実現する鉄道車両用放送サービス提供システム、提供方法が開示されている（例えば、特許文献２）。
【０００６】
現行のデジタル放送の有料配信においては、その視聴端末を使って視聴した有料番組の一覧等を例えば月単位等でまとめて決済機関に送り事後の決済を行うか、あらかじめ決済を済ませて該当の有料放送番組を復号するためのスクランブル復号鍵或いは復号回路に復号を許可する復号許可証を事前に入手し、これを視聴端末に伝送することでスクランブル解除して視聴を可能にする方法がある（例えば、特許文献３）。
【０００７】
特許文献３記載の発明では、有料番組を暗号化して送信している。この番組コンテンツを暗号化するためのスクランブル鍵は、有料番組コンテンツと同時に配信される。特許文献３記載の発明では、無料視聴を回避するため、有料放送では番組を復号するためのスクランブル鍵は、契約鍵と呼ばれるまた別の鍵で暗号化して送信する。有料番組を視聴するに当たっては、視聴履歴や番組を復号するためのスクランブル鍵を取り出すための契約鍵を記録したり、暗号アルゴリズムに基づいて復号作業を行ったりするためのＣＰＵを内蔵したＩＣカード等の装置を利用する。ＩＣカードは、内部の記録内容を読み出し難くするため、外界とＩＣカードとの情報交換インタフェースを狭い範囲に固定され、情報の改竄や不正利用を防止している。
【０００８】
視聴端末に通信機能を持たせるための一般的な方法としては、視聴端末内に公衆回線接続用のモデムを内蔵し、固定電話の回線とモジュラジャックまで電話線ケーブルを敷設して接続する方法がある（例えば、特許文献４）。
【０００９】
特許文献４記載の発明では、視聴端末とモジュラジャックが離れていた場合に配線が困難になることが多く、結果として視聴者が視聴を断念してしまうことがある。特許文献４では、さらに、視聴端末にコードレス電話の子機モジュールを接続し視聴端末と固定電話の回線を不要にする方法が開示されている。
【００１０】
視聴端末と固定電話の回線を不要にする方法には、視聴端末にＰＨＳ（登録商標）システムを合体させる方法も開示されている（例えば、特許文献５）。
【００１１】
視聴端末等の固定端末と携帯機器等のモバイル端末と、電子バリューの発行や電子バリューの注文に関する決済処理を行うサーバとを備え、固定端末から視聴履歴を携帯端末に伝送し、携帯端末と決済サーバの間で決済を行い、決済結果を携帯端末から固定端末に戻す方法が開示されている（例えば、特許文献６）。
【００１２】
さらに、従来、携帯電話端末内にスクランブル解除装置と、端末ＩＤを記憶するＩＤ記憶部と、視聴許可データから復号鍵を抽出する復号鍵抽出部を組み込み、無線通信回線を介して該携帯電話に接続される復号鍵供給装置から視聴許可データを入手することで有線配線なしに有料放送を視聴できる携帯端末を実現する方法が開示されている（例えば、特許文献７）。
【００１３】
【特許文献１】特開平１０−３０８９４１号公報
【特許文献２】特開平２００５−１３０１８２号公報
【特許文献３】特開２００３−１１５８３５号公報
【特許文献４】特開平１１−４４２４号公報
【特許文献５】特開平１１−１８７３７６号公報
【特許文献６】特開２００４−２８０８５１号公報
【特許文献７】特開２００４−２３６１３６号公報
【発明の開示】
【発明が解決しようとする課題】
【００１４】
特許文献１及び特許文献２に記載された発明は、静止衛星を利用するということで、有料放送の放送者が衛星の使用量を負担する必要があり、またビル陰など直接衛星を見ることができない場所では、ギャップフィラと呼ばれる補助送信装置を使用する必要があり、この設備の設置、維持費も放送事業者が負担する必要がある。
【００１５】
特許文献３で用いるＩＣカードは形状が大きく端末に内蔵するのは困難である。さらに、契約鍵を保護しないで伝送すると契約鍵を不正に入手され、結果的にスクランブル鍵を取り出され不正視聴を許してしまうため、契約鍵もまた暗号化して伝送する等の保護が必要になる。
【００１６】
特許文献４記載の方式では、視聴端末以外にコードレス電話の子機モジュールが必要になり、視聴に必要な装置数が多くなってしまう。また、特許文献５記載の方式では、ＰＨＳが必要になりコスト高になってしまう。
【００１７】
特許文献６記載の方式は、特許文献６で開示されている機能を備えた携帯端末が必要となり、この携帯端末を持たない視聴者は有料番組を視聴することができない。
【００１８】
特許文献７記載の方式は、有料番組を視聴するための有線による公衆回線への接続もなく、また携帯端末だけで視聴できるための視聴者が視聴のため２つの異なる装置を用意する必要はないが、特許文献７では開示されていない復号鍵供給装置と決済処理を行うシステム間での情報のやりとりが発生する。復号鍵供給装置と決済処理を行うシステム間で交換される情報は課金情報であるため、復号鍵供給装置が秘匿性の高い装置である必要がある。さらに、復号鍵抽出部も不正に鍵が抽出されないよう高度な秘匿性が要求される。また、特許文献７で開示されている方式では、復号鍵が不正に利用されないよう端末ＩＤとの関連づけを行っているが、視聴許可データが保護されていないと視聴許可データ内の端末ＩＤ部分を改竄され正当な端末以外での視聴が許可される可能性がある。
【００１９】
本発明は、上述した課題に鑑みてなされたものであって、コンテンツの復号鍵を安全に送信するコンテンツ配信装置、及び、コンテンツの復号鍵を安全に受信する電子機器を提供することを目的としている。
【課題を解決するための手段】
【００２０】
上述した目的を達成するため、本発明を適用した電子機器は、デジタル放送信号を受信可能なデジタル放送網を介して第１の暗号化鍵により暗号化されたコンテンツと第２の暗号化鍵により暗号化された第１の暗号化鍵とを受信する受信部と、第１の暗号化鍵により暗号化されたコンテンツを復号する復号化部と、通信網を介して電子商取引の決済情報を伝送する通信部と、電子バリューの残額が記録され、外部から情報の読み出しが不可能な半導体集積回路からなり、通信部を介して受信した決済情報に基づき電子商取引の決済を行う決済処理部とを備え、決済処理部は、第１の暗号化鍵を復号するための復号計算式を保有し、デジタル放送信号のコンテンツの購入要求がなされた場合に上記通信部を介して受信した決済情報に基づき半導体集積回路に記録された電子バリューが減算されるとともに、通信部を介して電子商取引処理用のプロトコルに従って取得した第２の暗号化鍵を用いて、受信部を介して受信した第１の暗号化鍵を復号計算式により復号し、復号化部は、決済処理部が復号した第１の暗号化鍵を用いて、受信部を介して受信したコンテンツを復号する。
【００２１】
また、本発明を適用したコンテンツ配信システムは、第１の暗号化鍵を用いてコンテンツを暗号化するコンテンツ暗号化部と、第２の暗号化鍵を用いて第１の暗号化鍵を暗号化する鍵暗号化部と、暗号化されたコンテンツと、暗号化された第１の暗号化鍵を多重化して不特定多数のユーザに送信する送信部とを備えたコンテンツ送信装置と、デジタル放送信号を受信可能なデジタル放送網を介して第１の暗号化鍵により暗号化されたコンテンツと、第２の暗号化鍵により暗号化された第１の暗号化鍵とを受信する受信部と、第１の暗号化鍵を用いて暗号化されたコンテンツを復号する復号化部と、通信網を介して電子商取引の決済情報を伝送する通信部と、電子商取引の残額が記録され、外部から情報の読み出しが不可能な半導体集積回路からなり、通信部を介して受信した決済情報に基づき電子商取引の決済を行う決済処理部と、を備えた携帯端末と、コンテンツの決済処理が成功すると、携帯端末の上記通信部に第２の暗号化鍵を送信する決済処理装置とを有し、決済処理部は、第１の暗号化鍵を復号するための復号計算式を保有し、デジタル放送信号のコンテンツの購入要求がなされた場合に上記通信部を介して受信した決済情報に基づき半導体集積回路に記録された電子バリューが減算されるとともに、通信部を介して電子商取引処理用のプロトコルに従って取得した第２の暗号化鍵を用いて、受信部を介して受信した第１の暗号化鍵を復号計算式により復号し、復号化部は、決済処理部が復号した第１の暗号化鍵を用いて、受信部を介して受信したコンテンツを復号する。
【発明の効果】
【００２２】
本発明によれば、コンテンツを暗号化した第１の暗号化鍵を第２の暗号化鍵で暗号化し、第２の暗号化鍵を電子商取引で利用される秘匿性の高い通信路で伝送されるため、コンテンツの復号鍵を安全に送信することができる。
【発明を実施するための最良の形態】
【００２３】
以下、図面を参照して本発明を適用したデジタル放送システムについて説明する。図１は本発明を適用したデジタル放送システム１の構成を示すブロック図である。デジタル放送システム１は、デジタル放送を送信するデジタル放送送信装置２と、デジタル放送を受信する携帯端末３と、視聴コンテンツの決済を行う決済システム４とを備え、デジタル放送送信装置２と携帯端末３と決済システム４とは広域ネットワークに接続されている。
【００２４】
デジタル放送システム１は、例えば、ＩＳＤＢ−Ｔ（Integrated Services Digital Broadcasting Terrestrial）方式を用いてデジタル放送を行う。ＩＳＤＢ−Ｔ方式は、１９９９年に策定された地上波デジタル放送の技術基準である。ＩＳＤＢ−Ｔ方式の最大の特徴は、１つの放送チャンネルを多重構造としたことにある。すなわち、ＩＳＤＢ−Ｔ方式では、１事業者に割り当てられる約５．７５ＭＨｚの周波数帯域（チャンネル）内に、「セグメント」と呼ばれる伝送単位（帯域幅約４２９ＫＨｚ）を１３個多重化する。
【００２５】
事業者は、セグメント単位で変調方式を変えることができる。これにより、１つのチャンネルで、音声放送とハイビジョン放送、または、標準固定放送と移動体放送というように、任意の信号構成で配信できる。
【００２６】
また、地上デジタル音声放送では、各々のセグメントを別々の事業者（放送局）に割り当て、別々の番組を放送できるように規格化されている。これは、社団法人電波産業界（ＡＲＩＢ）の規格ＡＲＩＢ  ＳＴＤ−Ｂ２９「地上波デジタル音声の伝送方式」で規定されている。
【００２７】
さらに、規格ＡＲＩＢ  ＳＴＤ−Ｂ２４「デジタル放送におけるデータ放送符号化方式と伝送方式」によって、デジタル放送では、例えば、文字、静止画、簡易動画などが放送できることが規定されている。
【００２８】
規格ＡＲＩＢ  ＳＴＤ−Ｂ２９「地上デジタル音声放送の伝送方式」において、１つの事業者が複数のセグメントを使用し異なる番組を提供することも可能である。例えば、１３セグメント確保できる周波数チャンネルにおいて、１つの事業者が全セグメントを占有し、各セグメントにおいてＭＰＥＧ４ＡＶＣ（Ｈ．２６４）を用いた簡易動画放送を行えば、１つの事業者が１３番組チャンネルを放送する多チャンネルデジタル放送を実現することができる。
【００２９】
規格ＡＲＩＢ  ＳＴＤ−Ｂ２９は、地上デジタル放送の事業者が、現行のＢＳ（Broadcasting Satellite）、ＣＳ（Communicational Satellite）の事業者と同様、専門チャンネル番組パッケージを配信できることを意味している。
【００３０】
地上デジタル音声放送の伝送方式を用いて、番組に暗号化処理を施し、適切な限定受信を施すことで、番組毎に視聴を契約するペイ・パー・ビュー方式及びチャンネル毎に視聴を契約する有料番組配信を、多チャンネルデジタル放送で実現することができる。
【００３１】
また、近年、携帯電話端末には、電子マネーや電子チケットなどの電子バリューを処理する機能を搭載した機種が多数開発されており、有料番組の課金決済にこの機能を利用することでユーザの便宜を図ることが可能である。
【００３２】
本発明を適用したデジタル放送システム１は、携帯端末３向けのデジタル放送送信装置２を利用した上で、さらに携帯端末３に搭載された電子バリュー処理機能を用いて有料番組の課金決済を行う。
【００３３】
図２は、１つのセグメントの放送を実現するためのデジタル放送送信装置２の構成を説明するブロック図である。図２に示すデジタル放送送信装置２は、番組に関する各種情報を格納する番組運行管理部１０、番組を撮像するカメラ１１、録画済み番組が格納されている番組サーバ１２、カメラ１１で撮像した番組及び番組サーバ１２に格納された番組を圧縮するＭＰＥＧ（Moving Picture Expert Group）エンコーダ、ＭＰＥＧエンコーダ１３に送る映像素材を放送スケジュールにあわせて切り換えるスイッチャ１４、番組表を生成する番組表生成部１５、データ放送番組内容が格納されたデータ放送番組サーバ１６、データ放送番組サーバ１６に格納されたデータ放送を送出するデータ放送送出部１７、データ放送と番組表と番組特定情報と番組内容とを多重化する多重化部１８、番組内容を暗号化する暗号化部１９を備える。
【００３４】
番組運行管理部１０は、事業者が放送する番組に関する各種情報を格納している。番組運行管理部１０は、スイッチャ１４を制御して、カメラ１１で撮像した番組、若しくは、番組サーバ１２に格納された録画済み番組を、ＭＰＥＧエンコーダ１３に出力させる。ＭＰＥＧエンコーダ１３は、入力した番組を圧縮し、多重化器へ送出する。なお、ここでいうＭＰＥＧには、ＭＰＥＧ４−ＡＶＣ（Ｈ．２６４）が含まれる。また、音声においてもＡＡＣ（Advanced Audio Coding）などの圧縮形式が含まれる。
【００３５】
１つのセグメントで複数の映像及び音声を伝送する場合、複数のＭＰＥＧエンコーダ１３が同時に制御され、複数の番組が同時にＭＰＥＧ−ＴＳ（MPEG-Transport Stream）化される。
【００３６】
また、番組運行管理部１０は、番組表生成部１５、データ放送送出部１７を制御し、番組表生成部１５が生成した番組表、データ放送送出部１７がデータ放送番組サーバ１６から読み出したデータ放送を多重化部１８に出力させる。多重化部１８は、ＭＰＥＧエンコーダ１３から入力した番組、番組表生成部１５から入力した番組表、データ放送送出部１７から入力したデータ放送を多重化する。
【００３７】
暗号化部１９は、番組を暗号化するためのスクランブル鍵を生成し、そのスクランブル鍵に基づいて番組を暗号化すると同時に、ＥＣＭ（Entitlement Control Message）と呼ばれるパケットを生成する。ＥＣＭには、スクランブル鍵と有料放送の加入者番号などの視聴条件情報とを、契約鍵で暗号化したデータが格納されている。
【００３８】
暗号化部１９の後段には、図３に示すように、複数のセグメントを多重化するセグメント多重化部２０が設けられている。セグメント多重化部２０は、セグメントを多重化した後、多重化したセグメントに、例えば、ＯＦＤＭ変調（直交波周波数分割多重；Orthogonal Frequency Division Multiplexing）などのデジタル変調を施す。アップコンバータ２１は、多重化されたセグメントの周波数を上昇させる。電力増幅部２２は、アップコンバータ２１から出力された信号を増幅する。アンテナは、電力増幅部２２から出力された信号を送信する。
【００３９】
図３では、１つの周波数チャネルに８式のデジタル放送送信装置２が接続されているので、８セグメント（８番組チャネル）が多重化されるようになっている。規格としては、最大１３セグメントの放送が可能である。
【００４０】
すなわち、デジタル放送システム１では、最大１３種類の専門チャンネルを開設したり、１２チャンネルの専門チャンネルと１チャンネルのパッケージ総合案内チャンネルとを含む放送システムを開設したりすることができる。
【００４１】
なお、専門チャンネルとは特定の映画、音楽、ニュースなどを専門に放送するチャンネルを意味し、パッケージとはいくつかのチャンネルを組み合わせたひとまとまりにしたものを意味する。
【００４２】
専門チャンネルパッケージを運用する事業者が提供できるチャンネルが少ない場合には、デジタル放送送信装置２をそれに合わせて減らせばよい。一方、運用するチャンネル数が１３を超える場合には、複数のチャンネルを連結して使用することで、事業者は１３チャンネルを超えるチャンネルを放送することも可能である。
【００４３】
複数のセグメント、或いは、複数の周波数チャンネルを一体化して運用するプラットフォームにおいては、電子番組表も一体化することが可能である。また、デジタル放送システム１の電波を使って、受信機内の組み込みマイコンの修正プログラムを書き換えることができる。
【００４４】
図４は、デジタル放送を受信する機能を備えた携帯端末３の正面図である。図４に示す携帯端末３は、携帯電話である。携帯端末３は、通話機能の他に、ＡＲＩＢ  ＳＴＤ−Ｂ２９及びＡＲＩＢ  ＳＴＤ−Ｂ３１で規定された１セグメントを用いた携帯端末３向け放送を受信する機能を備える。
【００４５】
携帯端末３は、デジタル放送の画像を表示する表示部３０、デジタル放送の音声を出力するスピーカ３１、十字キー３２や数字キー３３、ファンクションキー３４などの入力部３５、デジタル放送を受信するためのデジタル放送受信回路３７を備える。
【００４６】
また、携帯端末３は、半導体メモリの挿入口やＵＳＢ（Universal Serial Bus）の接続口などの外部インタフェース３６を備え、半導体メモリ、ＨＤ（Hard Disk）、光ディスクなどの補助記憶装置３８と接続される。
【００４７】
十字キー３２は、通常、携帯端末３に内蔵された電話帳の検索などに用いられるが、デジタルテレビジョン放送やデジタル音声放送などのデジタル放送の視聴時には、表示部３０に表示された選択項目やリンクの選択に使用される。また、数字キー３３は、通常、電話番号のダイヤルに使用するが、デジタル放送の視聴時には、コンテンツ選択などに使用されることもある。また、携帯電話網を用いて配布される有料番組一覧リストから視聴したい番組を選択するときや番組購入を指示するときにも用いられる。
【００４８】
なお、コンテンツや番組の選択画面は、例えば、データ放送で送信される。データ放送は、コンテンツや番組の内容を示す静止画像やコンテンツ管理のリンク情報、番組表などを配信する。
【００４９】
携帯端末３には、電子バリューの処理を行うＩＣチップ（後述する図５のＩＣチップ５１）が実装されている。このＩＣチップは、内部にＣＰＵ、メモリ、チップ外部との通信インタフェースを持つ。ＩＣチップとＩＣチップの外部、例えば、携帯電話のＣＰＵとの通信による情報交換は、１つの通信インタフェースのみであり、ＩＣチップ外部から内部の情報が読み出せないようになっている。これにより、ＩＣチップに電子バリューの残額、取引履歴、電子バリュー決済システム４との通信方式などが記録されているが、これらが改変されることはない。
【００５０】
このように電子バリューの処理を行うＩＣチップは、秘匿性を備えている。デジタル放送システム１では、電子バリューの処理を行うＩＣチップの秘匿性を利用し、有料番組の鍵の授受を安全に実行することを特徴とする。
【００５１】
電子バリュー用のＩＣチップは、デジタル放送送信装置２から受信したＥＣＭを復号するための復号計算式を保存している。ＩＣチップは、決済システム４からＥＣＭを復号する契約鍵を入手し、復号計算式を利用してＥＣＭを復号する。そして、ＩＣチップは、ＥＣＭを復号してスクランブル鍵を入手する。
【００５２】
図５は、デジタル放送システム１における番組の課金システムの構成を示している。番組の課金システムでは、デジタル放送送信装置２の暗号化部１９と、契約鍵を生成する契約鍵生成部４３と、有料番組の決済を行う決済システム４と、携帯端末３とから構成されている。
【００５３】
デジタル放送送信装置２の暗号化部１９は、スクランブル鍵を発生するスクランブル鍵発生部４０と、番組コンテンツをスクランブル鍵で暗号化する番組コンテンツ暗号化部４１と、契約鍵生成部４３で生成された契約鍵でスクランブル鍵を暗号化し、ＥＣＭパケットを生成するスクランブル鍵暗号化部４２と、番組コンテンツとＥＣＭとを多重化する多重化部４４とを備える。暗号化部１９が生成したＥＣＭ及び暗号化した番組は、上述したアンテナを経由して携帯端末３に送信される。
【００５４】
契約鍵生成部４３は、暗号化部１９の外部にあり、特定の番組のスクランブル鍵を暗号化するための契約鍵を生成する。契約鍵は、暗号化部１９のほかに、ネットワーク内の、例えば、仮想専用線を用いて決済システム４に送信される。
【００５５】
決済システム４は、携帯電話網等を通じて、携帯端末３から番組の購入要求を入手すると、決済処理を開始する。決済システム４は、決済処理が成功し、ＩＣチップ５１の電子バリューが減算すると同時に、契約鍵生成部４３から取得した契約鍵を、携帯端末３に送信する。
【００５６】
このとき、電子バリューの決済に使用される安全なプロトコルを用いて契約鍵を携帯端末３に送信する。このように、電子バリューのための安全な伝送方式を借りることで、特別な機能を追加することなく、契約鍵を安全に送信することができる。
【００５７】
携帯端末３は、図５に示すように、多重化された番組を分離する多重化分離部５０と、契約鍵を用いてＥＣＭを復号するＩＣチップ５１と、ＥＣＭを復号化して得られたスクランブル鍵で番組を復号する番組コンテンツ復号化部５２と、ＭＰＥＧ圧縮された映像を伸張する映像伸張部５３と、ＭＰＥＧ圧縮された音声を伸張する音声伸張部５４と、映像を表示する表示部３０と、音声を出力するスピーカ３１とを備える。
【００５８】
携帯端末３の多重化分離部５０は、セグメントに多重化された番組とＥＣＭと番組表などを多重化分離する。多重化分離部５０は、番組を番組コンテンツ復号化部５２に出力し、ＥＣＭをＩＣチップ５１に出力する。ＩＣチップ５１は、決済システム４から取得した契約鍵を用いてＥＣＭを復号し、スクランブル鍵を取得する。ＩＣチップ５１は、取得したスクランブル鍵を番組コンテンツ復号化部５２に出力する。番組コンテンツ復号化部５２は、入力したスクランブル鍵を用いて、番組を復号化する。
【００５９】
次いで、図６を参照して、デジタル放送システム１における課金処理の手順について説明する。ユーザが携帯端末３を操作し番組の購入を指示すると（ステップＳ１）、番組購入要求が携帯電話網を通じて決済システム４に伝送される。決済システム４は、決済処理を開始する（ステップＳ２）。契約鍵生成部４３は、生成した契約鍵をデジタル放送送信装置２と決済システム４に送信する（ステップＳ３）。決済システム４は、決済処理が成功すると（ステップＳ４）、携帯端末３に契約鍵を送信する（ステップＳ５）。
【００６０】
デジタル放送送信装置２は、スクランブル鍵で番組を暗号化するとともに（ステップＳ６）、スクランブル鍵を契約鍵で暗号化してＥＣＭを作成する（ステップＳ７）。そして、デジタル放送送信装置２は、暗号化した番組とＥＣＭとを多重化して携帯端末３に送信する（ステップＳ８）。
【００６１】
携帯端末３は、受信したＥＣＭをＩＣチップ５１に転送する。ＩＣチップ５１は、ＥＣＭを契約鍵で復号してスクランブル鍵を入手する（ステップＳ９）。ＩＣチップ５１は、入手したスクランブル鍵を番組コンテンツ復号化部５２に転送する。番組コンテンツ復号化部５２は、番組をスクランブル鍵で復号する（ステップＳ１０）。復号化した番組は、ＭＰＥＧ伸張を施すことで視聴可能となる。
【００６２】
以上説明したように、本発明を適用したデジタル放送システム１では、スクランブル鍵を携帯電話網で配布するわけではないため、同一番組内で頻繁にスクランブル鍵を変更しても各携帯端末３に個別にスクランブル鍵を再配布する必要はない。また、契約鍵は、電子バリュー処理用の安全なプロトコルを利用して特定の携帯端末３のみに配布されるため、契約鍵を、例えば、端末ＩＤのような端末を特定するための識別子と関連付ける必要もない。
【００６３】
なお、本実施の形態では、携帯端末３向けの多チャンネルデジタル放送の実現方法としてＡＲＩＢで規定されているデジタルテレビジョン放送及びデジタル音声方式を元に説明しているが、スクランブル鍵と契約鍵とを分けて管理する方式で利用し、電子バリューの決済情報が秘匿性の高い通信方式で安全に各携帯端末に配信されることを可能であれば、デジタル放送方式に限らず、例えば、インターネット上にあるコンテンツサーバからのコンテンツを携帯端末３で視聴するようなコンテンツ配信の視聴管理にも容易に適用することができる。
【図面の簡単な説明】
【００６４】
【図１】本発明を適用したデジタル放送システムの構成を示す模式図である。
【図２】本発明を適用したデジタル放送送信装置の構成を示すブロック図である。
【図３】複数のセグメントを多重化して放送するシステムの構成を示すブロック図である。
【図４】本発明を適用した携帯端末の正面図である。
【図５】デジタル放送システムにおける課金システムの構成を示すブロック図である。
【図６】デジタル放送システムにおける課金処理の手順を説明するフローチャートである。
【符号の説明】
【００６５】
１  デジタル放送システム、２  デジタル放送送信装置、３  携帯端末、４  決済システム、１０  番組運行管理部、１３  ＭＰＥＧエンコーダ、１９  暗号化部、２０  セグメント多重化部、２１  アップコンバータ、２２  電力増幅部、２３  アンテナ、３０  表示部、３１  スピーカ、３５  入力部、４０  スクランブル鍵発生部、４１  番組コンテンツ暗号化部、４２  スクランブル鍵暗号化部、４３  契約鍵生成部、５０  多重化分離部、５１  ＩＣチップ、５２  番組コンテンツ復号化部、５３  映像伸張部、５４  音声伸張部
【図１】
0004529909.tif 000002
【図２】
0004529909.tif 000003
【図３】
0004529909.tif 000004
【図４】
0004529909.tif 000005
【図５】
0004529909.tif 000006
【図６】
0004529909.tif 000007